(57)【要約】【構成】ビス９４を締め付けることで、基礎天水切１０の可動当たり部８４および固定当たり部７２が下地材５６を挟みつける状態となり、基礎天水切１０を、予め設置されている外壁パネル５０に取り付けることができる。水切部７６は、外壁パネル５０の外面や目地材６６を伝わって流下する雨水等を水切部７６の上面に沿わせて排水できる。換気用通気孔８２は、外壁パネル５０の内側の空気が換気されるように、外気を流入させる。水切部７６を間に挟んで、水切部の上側が雨水等の通路となり、水切部の下側が空気の通路となる。【効果】外壁パネルに基礎天水切を取り付けるので、外壁パネルと基礎との位置関係に影響されずに基礎天水切を取り付けられる。基礎天水切を取り付けるための作業順序に影響されずに、予め外壁パネル等を取り付けることができ、作業効率がよい。雨水等の通路と、空気の通路とが別々であるので、空気層内の結露を抑制できる。【選択図】  図２
2004232333.tif 000002
【特許請求の範囲】
【請求項１】
下地材の外側に外壁板を取付けた外壁パネルを基礎上に取付け、基礎天端と外壁パネル下端との間に取付ける基礎天水切であって、
前記下地材の外側面に当接する固定当たり部、
前記固定当たり部から下方外側に延びる水切部、
前記水切部と間隔を隔てて設けられる下面部、
前記下面部と前記水切部とを連結するかつ換気用通気孔が形成された連結部、
前記下面部の奥側に開閉可能に設けられ前記下地材の内側面に当接して前記固定当たり部とともに前記下地材を挟みつける可動当たり部、および
前記可動当たり部を前記下地材の前記内側面に当接した状態で固定する固定手段を備える、基礎天水切。
【請求項２】
前記固定手段は、前記可動当たり部に取り付けた角度可変のナット、および前記ナットに螺合するとともに前記連結部と連結するビスを含む、請求項１記載の基礎天水切。
【請求項３】
前記下面部下面から延びてモルタルで前記水切を固定するための脚部を設けた、請求項１または２記載の基礎天水切。
【請求項４】
前記固定当たり部の内面、および前記可動当たり部の内面のうち少なくとも一方にすべり止めを設けた、請求項１ないし３のいずれかに記載の基礎天水切。
【発明の詳細な説明】
【０００１】
【発明の属する技術分野】
この発明は、基礎天水切に関し、特にたとえば、建物の基礎天端とその上に設置される外壁パネルの下端との間に取付ける、基礎天水切に関する。
【０００２】
【従来技術】
従来の基礎天水切の一例として図７に示すものがある。図７は、この基礎天水切１が適用される通気構法による木造建物の部分断面図である。基礎天水切１は、建物の基礎２の上方であって、軸組３の下端と外壁部４との間の隙間に配置されている。この基礎天水切１は、外壁板４ｄの内面に侵入する水、および外壁板４ｄの外面を伝わって流下する雨水等を基礎２の外側に流出させて建物内に入らないようにしている。
【０００３】
建物を施工するときは、まず、基礎２上に軸組３を設置し、軸組３の下端の土台３ａに基礎天水切１を取り付ける。次に、基礎天水切１と軸組３との外面を覆うように防水シート４ａを貼り付け、外壁板下端支持金物４ｂおよび胴縁４ｃを取り付ける。そして、外壁板４ｄを外壁板下端支持金物４ｂに係合させて、胴縁４ｃの外面に取り付ける。
【０００４】
このように、基礎天水切１は、外壁部４を軸組３に取り付ける前に、予め土台３ａに取り付ける必要があるので、たとえば、外壁部４の施工後に水切１が破損などして交換する場合には、非常に手間が掛かるという問題がある。つまり、基礎天水切１を交換するときは、一旦、外壁部４を取り外し、この状態で基礎天水切１を交換し、そして、外壁部４を元のように取り付けるという大掛かりな工事が必要となる。
【０００５】
また、水切１を取付ける前に、この水切１の内側に配置されるモルタル２ａを基礎２の外面に施工しておく必要があり、このモルタル２ａを十分に養生させた後に外壁部４を取り付けなければならない。したがって、これらを取り付ける時期がモルタル２ａの養生期間だけ遅れることとなり、その後の作業工程も順次遅れるという問題がある。なお、モルタル２ａを十分に養生させるのは、外壁板４ｄ等を取り付ける際の、接触による破損を防止するためである。
【０００６】
このような問題を解決するために、外壁パネルを取り付けた後に、この外壁パネルの下端と基礎との間に取り付けることができる基礎天水切が開示されている（たとえば、特許文献１参照。）。この基礎天水切と同様のタイプの基礎天水切を図８を参照して説明する。図８は、この基礎天水切５が適用される充填断熱構法による建物の部分断面図である。
【０００７】
基礎天水切５を取り付けるときは、図８に示すように、まず、この基礎天水切５の水切本体５ａの上部を外壁部４の下端に形成されている下地材４ｅにあてがった状態に配置する。そして、ビス５ｂを回転させることによって固定部材５ｃを下方に移動させる。これによって、水切本体５ａの上部を下地材４ｅに押し付けるとともに、固定部材５ｃを基礎２の天端２ｂに形成されているモルタル２ｃに押し付ける状態となり、基礎天水切５を外壁部４の下端と基礎２との間に取り付けることができる。
【０００８】
【特許文献１】
実開平７−１６８１０号公報
【０００９】
【発明が解決しようとする課題】
しかし、図８に示す従来の基礎天端水切５では、図９に示すように、外貼断熱構法による建物には適用できないという問題がある。その理由は、図９に示す外貼断熱構法によると、図８に示す充填断熱構法に比べて、断熱材４ｆが軸組３の外側に取付けられるため、外壁部４が断熱材４ｆの分だけ厚くなり、外壁パネル４ｇの下地材４ｅが基礎２より外側に配置される。よって、基礎天水切５は外壁パネル４ｇの下端と基礎天端２ｂとの間で上下方向に突っ張る状態で取り付けることができない。この場合、基礎２を外壁パネル４ｇの下になるように厚みを大きくすることによって、基礎天水切５が突っ張ることができるようにすることが考えられるが、コストが嵩む。また、図８に示すモルタル２ａの厚みを大きくすることも考えられるが、基礎の素材であるコンクリートより強度の低いモルタルに荷重がかかることは好ましくない。
【００１０】
また、図８に示すように、空気層４ｈの下端である外壁パネル４ｇと、基礎天端２ｂとの隙間は、基礎天水切５およびモルタル２ａの上端部によって塞がれているので、空気層４ｈ内の空気が滞留する。これによって、空気層４ｈ内に含有される湿気が排出されにくく結露やカビが発生するという問題が生じる。
【００１１】
それゆえに、この発明の主たる目的は、基礎天水切の取付けが外壁パネルの施工手順に左右されず、しかも外壁パネルと基礎との位置関係に影響されず取付けることができる、基礎天水切を提供することである。
【００１２】
【課題を解決するための手段】
この発明は、下地材の外側に外壁板を取付けた外壁パネルを基礎上に取付け、基礎天端と外壁パネル下端との間に取付ける基礎天水切であって、下地材の外側面に当接する固定当たり部、固定当たり部から下方外側に延びる水切部、水切部と間隔を隔てて設けられる下面部、下面部と水切部とを連結するかつ換気用通気孔が形成された連結部、下面部の奥部に開閉可能に設けられ下地材の内側面に当接して固定当たり部とともに下地材を挟みつける可動当たり部、および可動当たり部を下地材の内側面に当接した状態で固定する固定手段を備える、基礎天水切である。
【００１３】
【作用】
この発明の基礎天水切は、基礎天端と、この基礎天端の上方に取り付けられている外壁パネルとの間に取り付けて使用できる。基礎天水切を取り付けるときは、まず、基礎天水切の固定当たり部を外壁パネルの下地材の外側面に当接させる。そして、固定手段を作動させて、可動当たり部が下地材の内側面に当接する位置までこの可動当たり部を移動させる。これによって、固定当たり部と可動当たり部とが下地材を挟みつける状態となって、基礎天水切を下地材に取り付けることができる。
【００１４】
そして、基礎天水切の下面部と基礎天端との間にたとえばモルタルを介在させることによって、両者の間に形成される隙間を塞ぐことができるし、基礎天水切を基礎に対して確実に固定できる。
【００１５】
また、雨水等は、たとえば外壁パネルの外面や目地部に装着されている目地材を伝わって流下するが、この雨水等を水切部に伝わらせて外側に排水できる。そして、外壁パネルの内側に形成されている空気層内の空気が換気されるように、連結部に形成されている換気用通気孔に外気を流入させることができる。そして、水切部を間に挟んで、その水切部の上側が雨水等の通路となり、水切部の下側が空気の通路となる。
【００１６】
【発明の効果】
この発明の基礎天水切によると、外壁パネルの下地材を挟み込むことによって取り付けできるようになっているため、たとえば外壁パネルを基礎上に取り付けた後に、この基礎天水切を外壁パネルの下地材に取り付けることができる。したがって、設置されている基礎天水切を交換する場合、外壁パネルを取り外すことなく簡単に基礎天水切を交換できる。
【００１７】
そして、基礎天水切を外壁パネルの下地材に取り付ける構成であるので、たとえば外壁パネルが基礎よりも外側に配置されている等の、外壁パネルと基礎との位置関係に影響されずに、様々な構法の建物にこの基礎天水切を適用できる。
【００１８】
また、基礎天水切の連結部に換気用通気孔を形成したことにより、この通気孔と連通するたとえば空気層内の結露の発生を抑制できる。さらに、水切部の上側が雨水等の通路となり、水切部の下側が空気の通路となっており、両方の通路が分離されているので、雨水等やこの雨水等を含む湿度の高い空気が換気用通気孔に浸入することを防ぎ、空気層内の結露やカビの発生を効果的に防止できる。
【００１９】
この発明の上述の目的，その他の目的，特徴および利点は、図面を参照して行う以下の実施例の詳細な説明から一層明らかとなろう。
【００２０】
【実施例】
この発明に係る基礎天水切の一実施例を図１〜図４を参照して説明する。この基礎天水切は、建物の基礎の天端とその上に設置される外壁パネルの下端との間に取付けられるものである。図１は、この基礎天水切１０を適用した外貼断熱構法の建物の部分断面図である。この建物は、基礎１２の上に軸組１４が設置されており、この軸組１４の内側（建物内）に内壁部１６および床構造１８が設置されている。そして、軸組１４の外側に外壁部２０が取り付けられている。
【００２１】
基礎１２は、図１に示すように、軸組１４を固定するアンカーボルト２２が埋め込まれている。そして、その基礎天端１２ａには天端ならしモルタル２４ａが施されており、外側面１２ｂにはモルタル２４ｂが施されている。
【００２２】
軸組１４は、柱２６を備えている。この柱２６は、下面部が柱脚ピース２８に形成されている柱受容筒３０に挿入されて固定されている。柱受容筒３０は、その下面に柱脚ベース３２が溶接されていて、この柱脚ベース３２がアンカーボルト２２およびナット３４で固定されている。この軸組１４の内側には、内壁部１６が取り付けられている。この内壁部１６は、内壁板３６および幅木３８を有している。
【００２３】
床構造１８は、基礎１２上に配置されている溝形鋼４０を備えている。この溝形鋼４０が軸組１４の取付け部材４２にボルト４４で固定されている。そして、この溝形鋼４０の上に根太４６を介して床板４８が配置されている。
【００２４】
軸組１４の外側には外壁部２０が設置されている。外壁部２０は、外壁パネル５０および断熱材５２を備えている。外壁パネル５０は、外壁板５４および下地材５６を含む。この外壁パネル５０は、パネル取付けピース５８およびボルト（図示せず）によって軸組１４に取り付けられている。この外壁パネル５０と軸組１４との間に断熱材５２が配置されており、断熱材５２と外壁板５４との間に空気層６０が形成されている。
【００２５】
次に、図２（Ａ）の横断面図を参照して、互いに隣り合う外壁パネル５０の目地部６２について説明する。目地部６２に露出する両側の下地材５６にそれぞれブレード６４を取り付けてある。そして、この一対のブレード６４の間に乾式目地材６６を装着してある。また、下地材５６には、図２（Ａ）に示すように、換気用切欠き６８が所定の間隔毎に設けられている。なお、この下地材５６は、たとえば矩形の外壁板５４の裏面であって、その外周縁に沿う矩形の枠状体として取り付けられている。
【００２６】
基礎天水切１０は、図２（Ｂ）に示すように、基礎天端１２ａと外壁パネル５０下端との間であって、この下端に配置されている下地材５６に取付けられている。この下地材５６の下縁部には、突条７０が形成されている。基礎天水切１０は、この突条７０の外側面５６ａと内側面５６ｂとを両側から挟み込んでこの下地材５６に取り付けられている。この基礎天水切１０は、基礎天端１２ａに沿って配置された長尺物である。
【００２７】
基礎天水切１０は、たとえばアルミ等の金属製であり、押し出し成型によって形成されている。そして、図２（Ｂ）に示すように、鉛直方向に向かう板状の固定当たり部７２を有している。固定当たり部７２は、外壁パネル５０の下地材５６の突条７０の外側面５６ａに当接しており、この固定当たり部７２の内面下端から内側に突出する当接部７４が形成されている。この当接部７４は、突条７０の下面に当接してこの固定当たり部７２の取付け位置の位置決めをしている。そして、この固定当たり部７２の下端から斜め下方外側に向かい、さらに下方に屈曲して延びる水切部７６が形成されている。そして、この水切部７６と間隔を隔ててその下方であって、ほぼ水平に配置された板状の下面部７８を有している。この下面部７８と水切部７６とが板状の連結部８０を介して連結している。この連結部８０には、図３に示すように、換気用通気孔８２が形成されている。この通気孔８２は、水平方向に沿って多数形成されている。各通気孔８２は、たとえば横幅が約４．５ｍｍ、縦の長さが約８ｍｍの長孔である。通気孔８２のピッチは、たとえば約８ｍｍである。
【００２８】
そして、下面部７８の奥部に固定当たり部７２に対して開閉可能に可動当たり部８４が設けられている。下面部７８と可動当たり部８４とは、蝶番８６を介して連結している。この蝶番８６は、下面部の縁部に形成されている把持部８８と、この把持部８８に把持されている回転部９０とからなっている。可動当たり部８４は、所定の幅に形成された板状体であり、下地材５６の内側面５６ｂに当接して、固定当たり部７２とともに下地材５６の突条７０を挟みつけるためのものである。
【００２９】
また、図３に示すように、固定当たり部７２と可動当たり部８４とを連結するように、固定部９２が設けられている。この固定部９２は、呼び込みビス９４およびナット９６を備えている。呼び込みビス９４は、通気孔８２の１つに挿通しており、頭部９４ａが連結部８０の外側に配置されている。この頭部９４ａは、通気孔８２よりも大きく形成されている。そして、ビス９４の先端は、可動当たり部８４に形成されている挿通孔９８に挿通しており、この先端にナット９６が螺合している。ナット９６は、水平に配置された短円柱状体に雌ねじが形成されたものである。このナット９６は、可動当たり部８４の内側面に形成された保持部１００によって保持されている。この保持部１００は、円筒形であり、長さ方向に切欠１０２が形成されている。この切欠１０２からビス９４の先端が突出している。この可動当たり部８４は、所定の間隔を隔てて多数設けられており、各可動当たり部８４に対して固定部９２が１つずつ設けられている。ただし、可動当たり部８４の長さを長く形成して、各可動当たり部８４に対して固定部９２を２つ以上ずつ設けてもよい。
【００３０】
さらに、図３に示すように、下面部７８の下面には２つの板状の脚部１０４が形成されている。２つの脚部１０４のうち、外側に配置されているものは、外側に向かって斜め下方に延びている。そして、内側に配置されている脚部１０４は、垂直下方に向かって延びている。この２つの脚部１０４と下面部７８の下面とによって囲まれた部分にモルタル２４ｂの上端部が充填されている。このモルタル２４ｂは、基礎１２の外面に形成されている。これによって、基礎天水切１０と基礎天端１２ａとの間に形成される隙間を塞ぐことができるし、基礎天水切１０を基礎に対して固定できる。
【００３１】
そして、可動当たり部８４の下地材５６の内側面５６ｂに当接する部分８４ａには突条（突起）１０６を設けてある。この突条１０６は、固定当たり部７２の下地材５６の外側面５６ａに当接する部分７２ａには設けていないが、この部分７２ａにも設けてもよい。あるいは、突条１０６を、固定当たり部７２の部分７２ａに設けて、可動当たり部８４の部分８４ａに設けなくてもよい。さらに、突条１０６を両方に設けなくてもよい。
【００３２】
このように、突条１０６を設けることによって、可動当たり部８４および固定当たり部７２が、下地材５６の内側面５６ｂおよび外側面５６ａを挟みつけたときに、この突条１０６が内側面５６ｂや外側面５６ａに食い込むこととなり、基礎天水切１０を下地材５６にしっかりと取り付けることができる。つまり、この突起１０６はすべり止めであり、他の形状のすべり止めを用いることも可能である。
【００３３】
次に、基礎天水切１０の水切機能および換気機能について、図２（Ａ）および図２（Ｂ）を参照して説明する。
【００３４】
この水切機能によると、外壁パネル５０の外面を伝わり流下する雨水等を、図２（Ｂ）の矢印１０８に示すように、基礎天水切１０の水切部７６の上面に沿わせて建物の外側に排出することができる。これによって、このようにして伝わり流下する雨水等が外壁パネル５０の内側に浸入しないようにできる。
【００３５】
また、この水切機能によると、図２（Ａ）に示すように、目地部６２に雨水等が浸入しないように、目地部６２に乾式目地材６６を装着してあるが、この乾式目地材６６を伝わり流下する雨水等が、乾式目地材６６の先端部よりも建物の内側に浸入しないようにすることができる。つまり、乾式目地材６６のひれ１１０の４つの隙間１１２および乾式目地材６６表面を伝わり流下することがある雨水等を、図２（Ｂ）の矢印１１４に示すように、水切部７６の上面に沿わせて建物の外側に排出することができる。
【００３６】
換気機能によると、図２（Ｂ）の矢印１１６で示すように、建物の外側の空気は、水切部７６の下方であって、連結部８０に形成されている多数の換気用通気孔８２から流入し、さらに外壁パネル５０の下地材５６に形成されている換気用切欠き６８を通って、外壁パネル５０の内側に形成された空気層６０に流入する。そして、別に形成されている出口（図示せず）から流出する。このように空気層６０の空気が対流するので、空気層６０内の空気を換気できる。よって、空気層６０内の結露やカビの発生を抑制できる。
【００３７】
このように、この基礎天水切１０によると、水切部７６の上側が雨水等の通路となり、水切部７６の下側が空気の通路となっており、両方の通路が分離されているので、雨水等やこの雨水等を含む湿度の高い空気が換気用通気孔８２に浸入することを防ぎ、空気層６０内の結露やカビの発生を効果的に防止できる。
【００３８】
次に、基礎天水切１０の取付け手順を図４を参照して説明する。図４（Ａ）に示す状態では、基礎１２および軸組１４が設置されており、この軸組１４に外壁パネル５０が取り付けられている。この状態で基礎天水切１０の固定当たり部７２を外壁パネル５０の下地材５６の外側面５６ａに当接させる。そして、図４（Ｂ）に示すように、工具１１８を使用して呼び込みビス９４を締める方向に回転させて、可動当たり部８４を固定当たり部７２（下地材５６の内側面５６ｂ）に向かう方向（閉じる方向）に移動させる。このようにして、図４（Ｃ）に示すように、基礎天水切１０の固定当たり部７２および可動当たり部８４が、外壁パネル５０の下地材５６の下縁に形成されている突条７０の外側面５６ａおよび内側面５６ｂを両側から挟みつける状態にする。これによって、この基礎天水切１０を、外壁パネル５０の下端と基礎天端１２ａとの間であって、外壁パネル５０の下地材５６に固定して取り付けることができる。次に、図４（Ｄ）に示すように、基礎１２の外面にモルタル２４ｂを形成する。このモルタル２４ｂの上部は、基礎天水切１０の下面部７８に形成されている脚部１０４と、基礎天端１２ａの表面に形成されているモルタル２４ａとの間に介在して、この隙間を塞ぐとともに、基礎天水切１０を基礎１２に対してしっかりと固定している。
【００３９】
この基礎天水切１０によると、図４に示すように、外壁パネル５０の下地材５６を挟み込むことによって取り付けできるようになっているため、たとえば外壁パネル５０を基礎１２上に設置されている軸組１４に取り付けた後に、この基礎天水切１０を外壁パネル５０の下地材５６に取り付けることができる。したがって、設置されている基礎天水切１０を交換する場合、外壁パネル５０を取り外すことなく簡単に基礎天水切１０を交換できる。なお、基礎天水切１０は取り外すときは、呼び込みビス９４をゆるめて、固定当たり部７２および可動当たり部８４を下地材５６から外せばよい。
【００４０】
そして、外壁パネル５０および基礎天水切１０を取り付けた後に、基礎１２の外面にモルタル２４ｂの施工ができるので、モルタル２４ｂの養生期間に影響されずに、外壁パネル５０およびそれ以外の部材等の施工を行うことができる。よって、これらの施工をスムースに進めることができる。
【００４１】
また、基礎天水切１０を外壁パネル５０の下地材５６に取り付ける構成であるので、たとえば外壁パネル５０が基礎１２よりも外側に配置されている等の、外壁パネル５０と基礎１２との位置関係に影響されずに、様々な構法の建物にこの基礎天水切１０を適用できる。
【００４２】
たとえば、図５に示す外貼断熱構法による建物は、図１に示す同構法の建物と比較して、外壁パネル５０の位置が基礎１２の位置よりも外側に配置されている例である。つまり、図５に示す基礎１２の幅が図１に示す基礎の幅よりも狭く形成されている。これ以外は、図１に示す実施例と同等であるので、同等部分を同一の図面符号で示し、それらの詳細な説明を省略する。
【００４３】
この場合においても、図１に示す実施例と同様に、呼び込みビス９４を締め付けることによって、基礎天水切１０の可動当たり部８４および固定当たり部７２が、下地材５６の内側面５６ｂおよび外側面５６ａを挟みつける状態となる。これによって、この基礎天水切１０を外壁パネル５０の下地材５６にしっかりと取り付けることができる。
【００４４】
そして、図１に示す実施例と同様に、基礎１２の外面にモルタル２４ｂを形成することによって、基礎天水切１０の下面部７８と基礎天端１２ａのモルタル２４ａとの間に形成される隙間を塞ぐことができるし、基礎天水切１０を基礎１２に対して固定できる。
【００４５】
次に、図６に示す充填断熱構法による建物は、図１に示す外貼断熱構法の建物と比較して、外壁パネル５０が基礎１２の中心に近い位置に配置されている例である。つまり、図６に示す構法では、断熱材５２が軸組１４内に収容されているので、この断熱材５２の厚みの分だけ外壁パネル５０が基礎１２の中心に近い位置に配置されている。これ以外は、図１に示す実施例と同等であるので、同等部分を同一の図面符号で示し、それらの詳細な説明を省略する。
【００４６】
この場合においても、図１および図５に示す実施例と同様に、基礎天水切１０を外壁パネル５０の下地材５６にしっかりと取り付けることができる。
【００４７】
そして、図１に示す実施例と同様に、基礎１２の外面にモルタル２４ｂを形成することによって、基礎天水切１０の下面部７８（脚部１０４）と基礎天端１２ａのモルタル２４ａとの間に形成される隙間を塞ぐことができるし、基礎天水切１０を基礎１２に対して固定できる。
【００４８】
なお、図６に示す実施例では、基礎天水切１０の連結部８０に形成されている換気用通気孔８２を塞ぐようにモルタル２４ｂを形成してあるが、これに代えて、図１および図５に示す実施例と同様に、換気用通気孔８２を塞がないようにモルタル２４ｂを形成してもよい。
【００４９】
ただし、上記実施例では、図２に示すように、脚部１０４を設けたが、この脚部１０４を省略してもよい。
【図面の簡単な説明】
【図１】この発明の一実施例に係る基礎天水切を適用した建物の部分断面図である。
【図２】（Ａ）は図１実施例に示す外壁パネルを下地材の個所で水平方向に切断した拡大横断面図、（Ｂ）は図１実施例に示す基礎天水切の拡大縦断面図である。
【図３】図１実施例に係る基礎天水切の拡大斜視図である。
【図４】（Ａ）は図１実施例に係る基礎天水切を取り付けるために固定当たり部を下地材に当てがった状態を示す断面図、（Ｂ）は図４（Ａ）に示すビスを締め付ける状態を示す断面図、（Ｃ）は図１実施例に係る基礎天水切を下地材に取り付けた状態を示す断面図、（Ｄ）は図４（Ｃ）に示す基礎天水切と基礎天端との間の隙間をモルタルで塞いだ状態を示す断面図である。
【図５】図１実施例に係る基礎天水切を他の建物に適用した例を示す部分断面図である。
【図６】図１実施例に係る基礎天水切をさらに他の建物に適用した例を示す部分断面図である。
【図７】従来の基礎天水切が木造建物に適用されている例を示す部分断面図である。
【図８】従来の他の基礎天水切が充填断熱構法による建物に適用された例を示す部分断面図である。
【図９】図８に示す従来の基礎天水切を適用することができない建物の部分断面図である。
【符号の説明】
１０…基礎天水切
１２…基礎
１２ａ…基礎天端
１４…軸組
２４ｂ…モルタル
５０…外壁パネル
５４…外壁板
５６…下地材
５６ａ…下地材の外側面
５６ｂ…下地材の内側面
７２…固定当たり部
７２ａ…固定当たり部の内面
７６…水切部
７８…下面部
８０…連結部
８２…換気用通気孔
８４…可動当たり部
８４ａ…可動当たり部の内面
９２…固定手段
９４…ビス
９６…ナット
１０４…脚部
１０６…突起
【図１】
2004232333.tif 000003
【図２】
2004232333.tif 000004
【図３】
2004232333.tif 000005
【図４】
2004232333.tif 000006
【図５】
2004232333.tif 000007
【図６】
2004232333.tif 000008
【図７】
2004232333.tif 000009
【図８】
2004232333.tif 000010
【図９】
2004232333.tif 000011